(57)【要約】【課題】筐体の内部では、水を撹拌しないために水配管での抵抗を少なくでき、放射の勢いを低下させることなく安定した泡放射ができる泡供給装置を提供すること。【解決手段】水供給口１１と、水供給口１１から水を導く水配管１３と、薬剤供給配管１４と、薬剤供給部１５と、気体供給配管１７と、気体混合部１９と、撹拌部６０と、水配管吐出口１２と、放射管４０とを有し、筐体１０には、水供給口１１と水配管吐出口１２とを備え、筐体１０の内部には、水配管１３と、薬剤供給配管１４と、薬剤供給部１５とを配置し、撹拌部６０を水配管吐出口１２より下流に配置し、筐体１０の内部に配置される水配管１３には、撹拌部６０で撹拌されていない水が流れることを特徴とする。【選択図】  図１
2019103755.tif 000002
【特許請求の範囲】
【請求項１】
水供給源から水を供給する水供給口と、
前記水供給口から前記水を導く水配管と、
薬剤を供給する薬剤供給配管と、
前記薬剤供給配管を前記水配管に接続して前記水に前記薬剤を供給する薬剤供給部と、
気体供給部から気体を供給する気体供給配管と、
前記気体供給配管を前記水配管に接続して前記水に前記気体を混合する気体混合部と、
前記水に供給された前記薬剤と前記気体を撹拌する撹拌部と、
少なくとも前記薬剤を混合した前記水を吐出する水配管吐出口と、
一端が前記水配管吐出口に接続され、他端が前記撹拌部で撹拌された前記水と前記薬剤と前記気体を放射する放射口に接続された放射管とを有し、
筐体には、前記水供給口と前記水配管吐出口とを備え、
前記筐体の内部には、前記水配管と、前記薬剤供給配管と、前記薬剤供給部とを配置する
泡供給装置であって、
前記撹拌部を前記水配管吐出口より下流に配置し、
前記筐体の内部に配置される前記水配管には、前記撹拌部で撹拌されていない前記水が流れる
ことを特徴とする泡供給装置。
【請求項２】
前記気体混合部を前記水配管吐出口より下流に配置し、
前記筐体の内部に配置される前記水配管には、前記気体が混合していない前記水が流れる
ことを特徴とする請求項１に記載の泡供給装置。
【請求項３】
前記薬剤及び前記気体が混合された前記水と、前記薬剤及び前記気体が混合されていない前記水とを択一的に切り替えて前記放射管に導く切替弁を備え、
前記切替弁を前記水配管吐出口より下流に配置し、
前記気体混合部を前記切替弁より上流に配置した
ことを特徴とする請求項２に記載の泡供給装置。
【請求項４】
前記切替弁を前記水道配管に固定した
ことを特徴とする請求項３に記載の泡供給装置。
【請求項５】
前記撹拌部より撹拌性能が低い補助撹拌部を備え、
前記撹拌部及び前記補助撹拌部を、前記気体混合部から前記放射口までの間に配置し、
前記補助撹拌部を、前記撹拌部より上流に配置した
ことを特徴とする請求項１から請求項４のいずれか１項に記載の泡供給装置。
【請求項６】
前記撹拌部を前記放射管の前記他端と前記放射口との間に設けた
ことを特徴とする請求項１から請求項５のいずれか１項に記載の泡供給装置。
【発明の詳細な説明】
【技術分野】
【０００１】
本発明は、人の洗浄等の際に用いる泡供給装置に関する。
【背景技術】
【０００２】
身体を石鹸等の洗浄剤で洗う際は、身体に洗浄剤を直接塗って擦る方法や、洗浄剤を泡立ててタオルやスポンジ等で擦る方法が取られている。これらの身体の洗浄行為は、体表面の汚れを落とすとともに、皮膚の油分も洗い流し、皮膚油分量を減少させる。このため、身体を洗う際には過度な皮膚油分量の減少を抑えるように、タオルやスポンジ等で十分に洗浄剤を泡立て、泡の弾力を利用し、擦りすぎずに優しく洗う必要がある。
特に高齢者は、洗浄後の皮膚油分量の回復が遅いことから長時間にわたり皮膚乾燥の状態が継続して皮膚掻痒感が誘発されやすい状態となり、皮膚のトラブルへ繋がる可能性がある。一方で、高齢者を対象とした介護サービスでは、短時間に２０人以上の入浴介護を行うこともあるため、洗浄剤を十分に泡立てる手間が大きい。
【０００３】
特許文献１は、泡の発泡倍率を最適に設定し、均質の泡を生成することにより、入浴者にとって、「擦りすぎる、洗いすぎる」ことに伴う弊害を軽減しながら、「洗った」という満足感が得られ、また、介護従事者にとって、身体の負担を軽減できる、滞留性（付着性）がよく、泡の質感も優れ、かつ素早く泡を塗布できる身体洗浄用泡供給装置を提案している。
また、特許文献１は、泡による洗浄と水による洗い流しを一つの放射口から行えることを開示している。
【先行技術文献】
【特許文献】
【０００４】
【特許文献１】特開２０１５−４７２３６号公報
【発明の概要】
【発明が解決しようとする課題】
【０００５】
しかし、特許文献１の身体洗浄用泡供給装置は、均質な泡を十分に発生させることを主目的としており、装置の小型化や使い勝手の向上について開示するものではない。
特許文献１のように、洗浄剤のような薬剤と気体とを水に混合して泡洗浄にする場合には、薬剤と気体と水とを撹拌することで泡のきめが細かくなる一方で、配管内での抵抗が増加するため、水を使用した後に泡洗浄に切り替えた際に、泡放射が安定するまでに時間が掛かり、また放射の勢いが低下するためにシャワーホースが長いと放射口から泡の塊が滴下してしまうという課題がある。
【０００６】
本発明は、筐体の内部では、気体と薬剤を混合した水を撹拌しないために水配管での抵抗を少なくでき、放射の勢いを低下させることなく安定した泡放射ができるとともに、撹拌部を筐体の内部に配置しないことで筐体を小さくすることができる泡供給装置を提供することを目的としている。
【課題を解決するための手段】
【０００７】
請求項１記載の本発明の泡供給装置は、水供給源から水を供給する水供給口１１と、前記水供給口１１から前記水を導く水配管１３と、薬剤を供給する薬剤供給配管１４と、前記薬剤供給配管１４を前記水配管１３に接続して前記水に前記薬剤を供給する薬剤供給部１５と、気体供給部３０から気体を供給する気体供給配管１７と、前記気体供給配管１７を前記水配管１３に接続して前記水に前記気体を混合する気体混合部１９と、前記水に供給された前記薬剤と前記気体を撹拌する撹拌部６０と、少なくとも前記薬剤を混合した前記水を吐出する水配管吐出口１２と、一端が前記水配管吐出口１２に接続され、他端が前記撹拌部６０で撹拌された前記水と前記薬剤と前記気体を放射する放射口４１に接続された放射管４０とを有し、筐体１０には、前記水供給口１１と前記水配管吐出口１２とを備え、前記筐体１０の内部には、前記水配管１３と、前記薬剤供給配管１４と、前記薬剤供給部１５とを配置する泡供給装置であって、前記撹拌部６０を前記水配管吐出口１２より下流に配置し、前記筐体１０の内部に配置される前記水配管１３には、前記撹拌部６０で撹拌されていない前記水が流れることを特徴とする。
請求項２記載の本発明は、請求項１に記載の泡供給装置において、前記気体混合部１９を前記水配管吐出口１２より下流に配置し、前記筐体１０の内部に配置される前記水配管１３には、前記気体が混合していない前記水が流れることを特徴とする。
請求項３記載の本発明は、請求項２に記載の泡供給装置において、前記薬剤及び前記気体が混合された前記水と、前記薬剤及び前記気体が混合されていない前記水とを択一的に切り替えて前記放射管４０に導く切替弁５０を備え、前記切替弁５０を前記水配管吐出口１２より下流に配置し、前記気体混合部１９を前記切替弁５０より上流に配置したことを特徴とする。
請求項４記載の本発明は、請求項３に記載の泡供給装置において、前記切替弁５０を前記水道配管に固定したことを特徴とする。
請求項５記載の本発明は、請求項１から請求項４のいずれか１項に記載の泡供給装置において、前記撹拌部６０より撹拌性能が低い補助撹拌部６２を備え、前記撹拌部６０及び前記補助撹拌部６２を、前記気体混合部１９から前記放射口４１までの間に配置し、前記補助撹拌部６２を、前記撹拌部６０より上流に配置したことを特徴とする。
請求項６記載の本発明は、請求項１から請求項５のいずれか１項に記載の泡供給装置において、前記撹拌部６０を前記放射管４０の前記他端と前記放射口４１との間に設けたことを特徴とする。
【発明の効果】
【０００８】
本発明の泡供給装置によれば、筐体の内部では、水を撹拌しないために水配管での抵抗を少なくでき、放射の勢いを低下させることなく安定した泡放射ができるとともに、撹拌部を筐体の内部に配置しないことで筐体を小さくすることができる。
【図面の簡単な説明】
【０００９】
【図１】本発明の実施例１による泡供給装置の配管系統図
【図２】同泡供給装置の撹拌部の設置位置と撹拌性能とを変更した場合の泡放射安定時間を示す図
【図３】本発明の実施例２による泡供給装置の配管系統図
【図４】本発明の実施例３による泡供給装置の配管系統図
【図５】本発明の実施例４による泡供給装置の配管系統図
【図６】本発明の実施例５による泡供給装置の配管系統図
【発明を実施するための形態】
【００１０】
本発明の第１の実施の形態による泡供給装置は、撹拌部を水配管吐出口より下流に配置し、筐体の内部に配置される水配管には、撹拌部で気体と撹拌されていない薬剤を混合した水が流れるものである。
本実施の形態によれば、筐体の内部では、気体と薬剤を混合した水を撹拌しないために配管での抵抗を少なくでき、放射の勢いを低下させることなく安定した泡放射ができるとともに、撹拌部を筐体の内部に配置しないことで筐体を小さくすることができる。
【００１１】
本発明の第２の実施の形態は、第１の実施の形態による泡供給装置において、気体混合部を水配管吐出口より下流に配置し、筐体の内部に配置される水配管には、気体が混合していない水が流れるものである。
本実施の形態によれば、筐体の内部では、気体を混合していないために水配管での抵抗を少なくでき、放射の勢いを低下させることなく安定した泡放射ができるとともに、撹拌部及び気体混合部を筐体の内部に配置しないことで筐体を小さくすることができる。
【００１２】
本発明の第３の実施の形態は、第２の実施の形態による泡供給装置において、薬剤及び気体が混合された水と、薬剤及び気体が混合されていない水とを択一的に切り替えて放射管に導く切替弁を備え、切替弁を水配管吐出口より下流に配置し、気体混合部を切替弁より上流に配置したものである。
本実施の形態によれば、切替弁を設けることによって、１つの放射口によって使用者の必要に応じて、水放射と泡放射が可能となり、切替弁を筐体の内部に配置しないことで筐体を小さくすることができる。
【００１３】
本発明の第４の実施の形態は、第３の実施の形態による泡供給装置において、切替弁を水道配管に固定したものである。
本実施の形態によれば、放射管からの力が筐体に直接加わらないため、筐体の固定を強固にする必要がなく、筐体の強度を高める必要がない。
【００１４】
本発明の第５の実施の形態は、第１から第４のいずれかの実施の形態による泡供給装置において、撹拌部より撹拌性能が低い補助撹拌部を備え、撹拌部及び補助撹拌部を、気体混合部から放射口までの間に配置し、補助撹拌部を、撹拌部より上流に配置したものである。
本実施の形態によれば、気体供給部から撹拌部までの流路に補助撹拌部を配置することで、撹拌部に到達するまでの間に気液が分離して流れることがないため、気体と液体とが泡にならず交互に放射される現象である間欠放射を防止できる。また、本実施の形態によれば、補助撹拌部は撹拌部より撹拌性能が低いため、撹拌部より小型となり切替弁周囲でのスペースを節約することができる。また、本実施の形態によれば、気液の撹拌が進むほどに、流体抵抗が増すことから補助撹拌部を用いることで、放射管上流に十分な撹拌性能を有した撹拌部を有する場合と比較して、放射管の抵抗による圧力損失が抑えられるため、放射管を長くしても泡の放射する勢いが衰えにくい。
【００１５】
本発明の第６の実施の形態は、第１から第５のいずれかの実施の形態による泡供給装置において、撹拌部を放射管の他端と放射口との間に設けたものである。
本実施の形態によれば、水配管だけでなく放射管での抵抗を少なくでき、放射の勢いを低下させることなく安定した泡放射ができる。また、本実施の形態によれば、放射口側の撹拌部は放射口と一体化することができる。
【実施例】
【００１６】
以下、本発明の実施例１による泡供給装置について説明する。
図１は、本実施例１による泡供給装置の配管系統図である。
本実施例１による泡供給装置は、筐体１０と、液状の薬剤が貯留されている薬剤貯留タンク２０と、気体を供給する気体供給部３０と、放射管４０とを備えている。気体供給部３０は、例えばコンプレッサや加圧ボンベである。また、気体は、空気を用いるが、気体であれば、酸素や二酸化炭素、窒素、水素、オゾン、ヘリウム、アルゴンでも良い。
【００１７】
筐体１０には、水道配管又は貯水タンクの水供給源となる蛇口１から水（温水又は冷水）を供給する水供給口１１と、少なくとも薬剤を混合した水を吐出する水配管吐出口１２とを備えている。筐体１０の内部には、水供給口１１から水を導く水配管１３と、薬剤貯留タンク２０の薬剤を供給する薬剤供給配管１４と、薬剤供給配管１４を水配管１３に接続して水に薬剤を供給する薬剤供給部１５とを配置する。
【００１８】
薬剤には、界面活性剤を主成分としたものを用いるが、水と混ぜて発泡性を有する液体であれば、タンパクやサポニンを用いても良い。また、薬剤供給部１５は、ベンチュリ効果を利用して発生させた負圧を利用した、例えばアスピレータを用いるが、電気ポンプや水の流れを利用した水駆動ポンプでも良い。
筐体１０の内部には、水圧を一定にする水用レギュレータ１８と、水用逆止弁１６ａとを備えていることが好ましい。
【００１９】
水配管１３は、水供給口１１と水配管吐出口１２とを接続し、薬剤供給部１５を途中に備えている。水供給口１１と薬剤供給部１５との間の水配管１３には水用レギュレータ１８を、薬剤供給部１５と水配管吐出口１２との間の水配管１３には水用逆止弁１６ａを備えている。なお、水供給口１１には導入用の水配管１３ａが接続され、蛇口１からの水は導入用の水配管１３ａから筐体１０内に導入される。また、水配管吐出口１２には導出用の水配管１３ｂが接続され、筐体１０内で薬剤が供給された水は導出用の水配管１３ｂから筐体１０外に導出される。
薬剤供給部１５には、薬剤供給配管１４を接続している。
【００２０】
薬剤貯留タンク２０は、筐体１０の内部に備えてもよいが、筐体１０に着脱可能に設けることが好ましい。
気体供給部３０は、電気駆動式圧縮機を用いるが、圧縮ボンベや水駆動式圧縮機でもよい。なお、気体の供給量を一定にするためには、気体供給部３０の吐出口に圧力調整器や絞りを併用することが望ましい。気体供給部３０は、筐体１０とは別個に設置される。気体供給部３０には、気体供給配管１７が接続される。気体供給配管１７には、気体用逆止弁１６ｂを備えている。
【００２１】
放射管４０の一端には切替弁５０が接続され、放射管４０の他端には放射口４１が接続されている。放射管４０には、シャワーホースを利用するが、流体を輸送できるものであれば、自在に変形する内部が空洞な細長いチューブや、内部に流路を有した自在継手を両端に接続すれば、断面が円形や多角形の剛体の管でもよい。切替弁５０には、三方弁を用いるが、電動で流路を切り替える電動式切替弁や、通常は水のみの放射流路に接続されているが、泡放射に切替後、一定時間で水のみの放射に自動的に戻る、時限式切替弁を用いてもよい。
放射口４１には、放射状に泡が放射される、複数の孔を有した面のシャワーヘッドを用いるが、細長い管に複数の孔を設けた放射具や、ホースの端部のような１口の放射口でもよい。水供給源が、例えば水道配管のように圧力変動がある場合は、水用レギュレータを用いることで、安定して泡放射を行うことができる。
【００２２】
切替弁５０の一方の導入口５０ａには、導入用の水配管１３ａから分岐された水配管１３ｃが接続され、切替弁５０の他方の導入口５０ｂには、導出用の水配管１３ｂが接続されている。従って、切替弁５０の一方の導入口５０ａには薬剤及び気体が混合されていない水が供給され、切替弁５０の他方の導入口５０ｂには薬剤及び気体が混合された水が供給される。切替弁５０の導出口５０ｃには放射管４０が接続されている。導出用の水配管１３ｂは、水配管吐出口１２と切替弁５０とを接続し、気体混合部１９を途中に備えている。気体混合部１９は、気体供給配管１７を導出用の水配管１３ｂに接続して水に気体を混合する。
【００２３】
放射管４０には、水と薬剤と気体とを撹拌する撹拌部６０を設けている。撹拌部６０は、撹拌部６０内部の流路を拡大し、拡大した内部に網を設置した網式を用いる。用いる網は、ワイヤや糸を編んだいわゆる網を用いるが、一枚の板に複数の穴を設けた網状のものでよく、材質はステンレス等の金属製でも良いが樹脂製でも良く、薬剤により腐食、劣化をしないものを用いる。また、網の枚数は１枚以上とし、撹拌部６０を１つしか設けない場合は、１０枚程度設けることが望ましい。
また、撹拌部６０には、網以外にも流路内に案内羽根複数枚を互い違いに設置したり、パターンの異なる孔の開いた板を複数枚、間隔を空けて流路内に設置したり、ブラシを流路内に設置したりして流体を撹拌するスタティックミキサや、水や電気の力で羽根やブラシを回転させて撹拌するミキサ、流路内に突起物を設けて縦渦を発生させるボルテックスジェネレータ、局所的に流路を狭めて乱流を促進して撹拌する方式を用いてもよい。薬剤及び気体が混合された水は、撹拌部６０を通過する際に流れが乱され撹拌されることで均一に分散・混合されて良質の泡となり、放射口４１に供給される。放射口４１は、泡を放射状に放出させる。
【００２４】
本実施例では、撹拌部６０として、撹拌部６１の他に、撹拌部６１より撹拌性能が低い補助撹拌部６２を備えている。例えば、撹拌部材として、開孔を有する網状体を用いる場合には、撹拌部６１に用いる網状体を９枚とし、補助撹拌部６２に用いる網状体を１枚とする。
撹拌部６１及び補助撹拌部６２は、気体混合部19から放射口４１までの間に配置する。補助撹拌部６２は放射管４０の上流側端部に、撹拌部６１は放射管４０の下流側端部に配置し、補助撹拌部６２を撹拌部６１より上流に配置する。
【００２５】
切替弁５０は、一方の導入口５０ａと他方の導入口５０ｂとを切り替えるレバー５０ｄを備えている。従って、レバー５０ｄの操作によって、切替弁５０は、薬剤及び気体が混合された水、及び薬剤及び気体が混合されていない水を、択一的に切り替えて導出口５０ｃから放射管４０に導出する。
【００２６】
レバー５０ｄによって、他方の導入口５０ｂを導出口５０ｃに連通させることで泡放射となる。
泡放射時は、水供給口１１から筐体１０内に導入された水は、水用レギュレータ１８で一定圧に調整された後に、薬剤供給部１５で薬剤が供給され、水配管吐出口１２から筐体１０外に導出される。筐体１０外に導出される水は、導入用の水配管１３ａを流れ、気体混合部１９で気体が混合された後に放射管４０に導かれる。放射管４０に導かれた、薬剤及び気体が混合された水は、撹拌部６０で撹拌されることで均一に分散・混合されて良質の泡となり、放射口４１から放出される。
レバー５０ｄによって、一方の導入口５０ａを導出口５０ｃに連通させることで水放射となる。
水放射時は、水配管１３ｃから供給される水が導出口５０ｃから放射管４０に導かれる。
このように、切替弁５０を設けることで、放射口４１から泡放射と水放射とを選択して放出することができる。
また、撹拌部６０を切替弁５０よりも下流に設けることで、泡放射後に撹拌部６０内に残留した泡を、水放射時に水で洗い流すことができる。これにより、撹拌部６０の網状体に薬剤が固まって詰まることを防止できる。
【００２７】
水用レギュレータ１８は、泡放射時には薬剤供給部１５に掛かる水圧を一定にする。特に、水配管１３に水道水を供給する場合、水道圧は設置環境や周囲の水道使用状況等によって大きく変動するが、薬剤供給部１５としてアスピレータを用いた場合に、水道圧が変動しても安定して薬剤を吸引することができる。
【００２８】
なお、放射口４１がシャワーヘッドの場合、シャワーヘッドの持ち手部の空間に網を入れて撹拌部６１とすることで、構成される装置全体の省スペース化に貢献できる。さらに、撹拌性能の高い撹拌部６１を放射口４１に設けることで、水放射から泡放射への切り替わりに必要な時間が短縮される。放射管４０の上流に十分な撹拌性能を有した撹拌部６１を用いると、比較的粘性が高く抵抗が大きく、比較的気泡の小さい整えられた泡が放射管４０の内部を流れるのに対し、放射管４０の下流に十分な撹拌性能を有した撹拌部６１を用いることで、放射管４０内部には比較粘性が低く抵抗が小さく、比較的気泡の大きい泡が流れる。従って、切替弁５０によって水放射から泡放射に切り替えた後、放射口４１から泡が放射されるまでの時間が短くなる。
【００２９】
図２に、実施例１による泡供給装置を用い、撹拌部の設置位置と撹拌性能とを変更した場合の泡放射安定時間を示す。
実施例Ａは、放射管４０の上流側端部だけに１０枚の網状体を設けた撹拌部６０を配置し、実施例Ｂは、放射管４０の上流側端部に２枚の網状体を設けた補助撹拌部６２を、放射管４０の下流側端部に８枚の網状体を設けた撹拌部６１をそれぞれ配置し、実施例Ｃは、放射管４０の上流側端部に１枚の網状体を設けた補助撹拌部６２を、放射管４０の下流側端部に９枚の網状体を設けた撹拌部６１をそれぞれ配置した。
切替弁５０に掛かる背圧は、放射口４１から泡を放射するために必要な圧力であり、泡放射安定時間は、水放射から泡放射に切り替えたタイミングから、泡放射が安定するまでの時間である。
【００３０】
図２に示すように、実施例Ｃは、実施例Ａと比較して泡放射に必要な背圧が１５％以上減少し、泡放射安定時間は５４％に減少した。
【００３１】
一方、水供給源が水道口の場合、蛇口１から水供給口１１に供給する導入用の水配管１３ａと切替弁５０に接続する水配管１３ｃとをチーズで分岐させ、チーズを介して切替弁５０を蛇口１に連結することが望ましい。これにより、切替弁５０はチーズを介して直接蛇口１に接続されることから、放射口４１を引っ張った場合でも放射管４０を介して筐体１０に力が伝達しないため、筐体１０に外力が掛かる恐れがなく、筐体１０の強度や筐体１０の設置のための固定を考慮する必要がない。
【００３２】
実施例１の泡供給装置は、撹拌部６０を水配管吐出口１２より下流に配置し、筐体１０の内部に配置される水配管１３には、撹拌部６０で撹拌されていない水が流れる。従って、筐体１０の内部では、気体と薬剤を混合した水を撹拌しないために、きめ細かい泡になることによる抵抗の増加と、撹拌部６０の通過により生じる流体抵抗の増加とを無くせるため、水配管１３での抵抗を少なくでき、放射の勢いを低下させることなく安定した泡放射ができるとともに、撹拌部６０を筐体１０の内部に配置しないことで筐体１０を小さくすることができる。
また、実施例１の泡供給装置は、気体混合部１９を水配管吐出口１２より下流に配置し、筐体１０の内部に配置される水配管１３には、気体が混合していない水が流れる。従って、筐体１０の内部では、気体を混合していないために水配管１３での抵抗を少なくでき、放射の勢いを低下させることなく安定した泡放射ができるとともに、撹拌部６０及び気体混合部１９を筐体１０の内部に配置しないことで筐体１０を小さくすることができる。
また、実施例１の泡供給装置は、薬剤及び気体が混合された水と、薬剤及び気体が混合されていない水とを択一的に切り替えて放射管４０に導く切替弁５０を水配管吐出口１２より下流に配置し、気体混合部１９を切替弁５０より上流に配置している。従って、１つの放射口４１によって使用者の必要に応じて、水放射と泡放射が可能となり、切替弁５０を筐体１０の内部に配置しないことで筐体１０を小さくすることができる。
また、実施例１の泡供給装置は、撹拌部６１より撹拌性能が低い補助撹拌部６２を備え、撹拌部６１及び補助撹拌部６２を、気体混合部19から放射口４１までの間に配置し、補助撹拌部６２を放射管４０の上流に、撹拌部６１を放射管４０の下流に配置している。従って、撹拌部６１に到達するまでの間では放射管４０の内部で気液が分離して流れることが少ないため、気体と液体とが泡にならず交互に放射される現象である間欠放射を防止できる。また、補助撹拌部６２は、撹拌部６１より撹拌性能が低いため、撹拌部６１より小型となり切替弁５０周囲でのスペースを節約でき、かつ、放射口４１側の撹拌部６１は放射口４１と一体化することができる。また、気液の撹拌が進むほどに、流体抵抗が増すことから補助撹拌部６２を用いることで、放射管４０上流に十分な撹拌性能を有した撹拌部６１を有する場合と比較して、放射管４０の抵抗による圧力損失が抑えられるため、放射管４０を長くしても泡の放射する勢いが衰えにくい。さらに、薬剤供給部１５として、電気の動力を使用せず水の圧力差を利用するアスピレータを用いる場合は、放射管４０を長くしても薬剤の供給する力を担保し易い。
また、実施例１の泡供給装置は、撹拌部６１を放射管４０の他端と放射口４１との間に設けている。従って、水配管１３だけでなく放射管４０での抵抗を少なくでき、放射の勢いを低下させることなく安定した泡放射ができる。
また、切替弁５０を水道配管に固定した場合には、放射管４０からの力が筐体１０に直接加わらないため、筐体１０の固定を強固にする必要がなく、筐体１０の強度を高める必要がない。
【００３３】
図３は、本発明の実施例２による泡供給装置の配管系統図である。
実施例１と同一機能部材には同一符号を付して説明を省略し、実施例１と相違点について下記に説明する。
【００３４】
実施例２による泡供給装置は、切替弁５０及び補助撹拌部６２を筐体１０の内部に配置している。また、切替弁５０の一方の導入口５０ａには、水用レギュレータ１８の下流側の水配管１３から分岐された水配管１３ｄが接続される。
本実施例では、水配管吐出口１２には、薬剤と気体とが混合され、補助撹拌部６２で撹拌された水が流れる放射管４０が接続される。
実施例２によれば、切替弁５０の容積分だけ、筐体１０の容積は増すが、筐体１０には放射管４０が接続されているため、筐体１０と気体供給部３０を設置すればよく、設置が容易になる。
【００３５】
実施例２の泡供給装置は、撹拌部６１を水配管吐出口１２より下流に配置し、筐体１０の内部に配置される水配管１３には、撹拌部６１で撹拌されていない水が流れる。従って、筐体１０の内部では、水配管１３での抵抗を少なくでき、放射の勢いを低下させることなく安定した泡放射ができるとともに、撹拌部６１を筐体１０の内部に配置しないことで筐体１０を小さくすることができる。
また、実施例２の泡供給装置は、撹拌部６１より撹拌性能が低い補助撹拌部６２を備え、撹拌部６１及び補助撹拌部６２を、気体混合部19から放射口４１までの間に配置し、補助撹拌部６２を放射管４０の上流に、撹拌部６１を放射管４０の下流に配置している。従って、撹拌部６１に到達するまでの間では放射管４０の内部で気液が分離して流れることがないため、気体と液体とが泡にならず交互に放射される現象である間欠放射を防止できる。また、補助撹拌部６２は、撹拌部６１より撹拌性能が低いため、撹拌部６１より小型となり切替弁５０周囲でのスペースを節約でき、かつ、放射口４１側の撹拌部６１は放射口４１と一体化することができる。また、気液の撹拌が進むほどに、流体抵抗が増すことから補助撹拌部６２を用いることで、放射管４０上流に十分な撹拌性能を有した撹拌部６１を有する場合と比較して、放射管４０の抵抗による圧力損失が抑えられるため、放射管４０を長くしても泡の放射する勢いが衰えにくい。
また、実施例２の泡供給装置は、撹拌部６１を放射管４０の他端と放射口４１との間に設けている。従って、水配管１３だけでなく放射管４０での抵抗を少なくでき、放射の勢いを低下させることなく安定した泡放射ができる。
【００３６】
図４は、本発明の実施例３による泡供給装置の配管系統図である。
実施例１と同一機能部材には同一符号を付して説明を省略し、実施例１と相違点について下記に説明する。
実施例３による泡供給装置は、切替弁５０及び補助撹拌部６２を備えていない。
【００３７】
実施例３の泡供給装置は、撹拌部６０を水配管吐出口１２より下流に配置し、筐体１０の内部に配置される水配管１３には、撹拌部６０で撹拌されていない水が流れる。従って、筐体１０の内部では、気体と薬剤を混合した水を撹拌しないために、きめ細かい泡になることによる抵抗の増加と、撹拌部６０の通過により生じる流体抵抗の増加とを無くせるため、水配管１３での抵抗を少なくでき、放射の勢いを低下させることなく安定した泡放射ができるとともに、撹拌部６０を筐体１０の内部に配置しないことで筐体１０を小さくすることができる。
また、実施例３の泡供給装置は、気体混合部１９を水配管吐出口１２より下流に配置し、筐体１０の内部に配置される水配管１３には、気体が混合していない水が流れる。従って、筐体１０の内部では、気体を混合していないために水配管１３での抵抗を少なくでき、放射の勢いを低下させることなく安定した泡放射ができるとともに、撹拌部６０及び気体混合部１９を筐体１０の内部に配置しないことで筐体１０を小さくすることができる。
【００３８】
図５は、本発明の実施例４による泡供給装置の配管系統図である。
実施例１と同一機能部材には同一符号を付して説明を省略し、実施例１と相違点について下記に説明する。
実施例４による泡供給装置は、補助撹拌部６２を備えていない。
【００３９】
実施例４の泡供給装置は、撹拌部６０を水配管吐出口１２より下流に配置し、筐体１０の内部に配置される水配管１３には、撹拌部６０で撹拌されていない水が流れる。従って、筐体１０の内部では、気体と薬剤を混合した水を撹拌しないために、きめ細かい泡になることによる抵抗の増加と、撹拌部６０の通過により生じる流体抵抗の増加とを無くせるため、水配管１３での抵抗を少なくでき、放射の勢いを低下させることなく安定した泡放射ができるとともに、撹拌部６０を筐体１０の内部に配置しないことで筐体１０を小さくすることができる。
また、実施例４の泡供給装置は、気体混合部１９を水配管吐出口１２より下流に配置し、筐体１０の内部に配置される水配管１３には、気体が混合していない水が流れる。従って、筐体１０の内部では、気体を混合していないために水配管１３での抵抗を少なくでき、放射の勢いを低下させることなく安定した泡放射ができるとともに、撹拌部６０及び気体混合部１９を筐体１０の内部に配置しないことで筐体１０を小さくすることができる。
また、実施例４の泡供給装置は、薬剤及び気体が混合された水と、薬剤及び気体が混合されていない水とを択一的に切り替えて放射管４０に導く切替弁５０を水配管吐出口１２より下流に配置し、気体混合部１９を切替弁５０より上流に配置している。従って、１つの放射口４１によって使用者の必要に応じて、水放射と泡放射が可能となり、切替弁５０を筐体１０の内部に配置しないことで筐体１０を小さくすることができる。
また、切替弁５０を水道配管に固定した場合には、放射管４０からの力が筐体１０に直接加わらないため、筐体１０の固定を強固にする必要がなく、筐体１０の強度を高める必要がない。
【００４０】
図６は、本発明の実施例５による泡供給装置の配管系統図である。
実施例２と同一機能部材には同一符号を付して説明を省略し、実施例２と相違点について下記に説明する。
実施例５による泡供給装置は、気体供給部３０を筐体１０の内部に配置している。
気体供給部３０としてコンプレッサを用いる場合は、水濡れや多湿環境に弱いため、コンプレッサを筐体１０と分離して設置することが望ましいが、水濡れや多湿環境でも問題のない気体供給部３０として、例えば加圧ボンベを用いる場合は筐体１０内に配置してもよい。
【００４１】
実施例５の泡供給装置は、撹拌部６１を水配管吐出口１２より下流に配置し、筐体１０の内部に配置される水配管１３には、撹拌部６１で撹拌されていない水が流れる。従って、筐体１０の内部では、水配管１３での抵抗を少なくでき、放射の勢いを低下させることなく安定した泡放射ができるとともに、撹拌部６１を筐体１０の内部に配置しないことで筐体１０を小さくすることができる。
また、実施例５の泡供給装置は、撹拌部６１より撹拌性能が低い補助撹拌部６２を備え、撹拌部６１及び補助撹拌部６２を、気体混合部19から放射口４１までの間に配置し、補助撹拌部６２を放射管４０の上流に、撹拌部６１を放射管４０の下流に配置している。従って、撹拌部６１に到達するまでの間では放射管４０の内部で気液が分離して流れることがないため、気体と液体とが泡にならず交互に放射される現象である間欠放射を防止できる。また、補助撹拌部６２は、撹拌部６１より撹拌性能が低いため、撹拌部６１より小型となり切替弁５０周囲でのスペースを節約でき、かつ、放射口４１側の撹拌部６１は放射口４１と一体化することができる。また、気液の撹拌が進むほどに、流体抵抗が増すことから補助撹拌部６２を用いることで、放射管４０上流に十分な撹拌性能を有した撹拌部６１を有する場合と比較して、放射管４０の抵抗による圧力損失が抑えられるため、放射管４０を長くしても泡の放射する勢いが衰えにくい。
また、実施例５の泡供給装置は、撹拌部６１を放射管４０の他端と放射口４１との間に設けている。従って、水配管１３だけでなく放射管４０での抵抗を少なくでき、放射の勢いを低下させることなく安定した泡放射ができる。
【産業上の利用可能性】
【００４２】
本発明による泡供給装置は、例えば、介護施設の浴室内等の洗浄箇所に、小型の筐体を設置してシャワーヘッドから洗浄用の泡を連続して放射することが可能であるため、使用者や愛玩動物等の肌健康の向上を図れると共に、使用者の泡立ての手間と負担を軽減することができる。また、本発明は、泡で洗浄を行う、食器や車両等を対象として泡で洗浄を行う泡供給装置としても利用できる。
【符号の説明】
【００４３】
１  蛇口
１０  筐体
１１  水供給口
１２  水配管吐出口
１３  水配管
１３ａ  導入用の水配管
１３ｂ  導出用の水配管
１３ｃ  水配管
１３ｄ  水配管
１４  薬剤供給配管
１５  薬剤供給部
１６ａ  水用逆止弁
１６ｂ  薬剤用逆止弁
１７  気体供給配管
１８  水用レギュレータ
１９  気体混合部
２０  薬剤貯留タンク
３０  気体供給部
４０  放射管
４１  放射口
５０  切替弁
５０ａ  一方の導入口
５０ｂ  他方の導入口
５０ｃ  導出口
５０ｄ  レバー
６０  撹拌部
６１  撹拌部
６２  補助撹拌部
【図１】
2019103755.tif 000003
【図２】
2019103755.tif 000004
【図３】
2019103755.tif 000005
【図４】
2019103755.tif 000006
【図５】
2019103755.tif 000007
【図６】
2019103755.tif 000008